(57)【要約】【課題】積載荷物のコーナー部がローブの締付力によって傷んでしまわないようにする。【解決手段】本考案に係る補助具10は本体部枠体11と摺動枠体12とから成る。摺動枠体12は本体部枠体11から横幅方向に伸縮自在に連結されている。補助具の両側に位置する本体部枠体11の縦枠体11tと摺動枠体12の縦枠体12tの背面側にそれぞれ略９０度回動する起立部11k, 12kを設ける。これらの起立部11k, 12kが積載荷物の両側の側縁部と当接し、荷物のコーナー部を保護する。本体部枠体11の少なくとも一方の面に作業情報や広告情報等の情報表示部15を形成する。【選択図】図３
0003150949.tif 000002
【実用新案登録請求の範囲】
【請求項１】
本体部が複数の縦横の枠体から構成されたものから成り、
その相対向する一対の両側の縦枠体(11t, 12t)に少なくとも略直角に起立する起立部(11k, 12k)を設け、
これらの起立部(11k, 12k)が積載荷物の両側の側縁部と当接することができ、
前記一対の縦枠体(11t, 12t)を連結する少なくとも２本の横方向に架け渡された横枠体(11y, 12y)の横幅を伸縮自在に形成した積載荷物の固定用補助具。
【請求項２】
縦横の枠体から構成された本体部の少なくとも一方の面に、作業情報や広告情報等の情報表示部(15)を形成したことを特徴とする請求項１に記載の積載荷物の固定用補助具。
【考案の詳細な説明】
【技術分野】
【０００１】
本考案は、畳等の板状物品等をトラック等の荷台に積載し、ロープ等で縛り付けて固定する際に、積載された物品に傷が付かないようにするために使用する補助具に関するものである。
【背景技術】
【０００２】
従来においては、畳等の板状物品や箱体状の物品等をトラック等の荷台に積載して運搬する際には、その板状物品等を積層して積み上げ、そのコーナー部には例えばダンボール等を折り重ねて保護部材としてその部位に宛がい、ロープを架け渡して固定し、その製品である板状物品等のコーナー部を保護していた。
従って、このように製品のコーナー部を保護するための専用の用具というものは特には存在していないのが現状であった。
【考案の概要】
【考案が解決しようとする課題】
【０００３】
そこで、本考案においては、畳等の板状物品や箱体状物品をトラック等の荷台に積載し、これをロープで固定する際、積載物品のコーナー部がローブの締付力によって傷んでしまわないようにするための特別の補助具を創案することがその第一の課題である。
更に、この補助具によって積層された板状物品や箱体状物品を固定するのであるが、その板状物品や箱体状物品の異なるサイズにも対応できるようにすることも本考案の課題である。
また、本考案に係る補助具が荷物の固定のために使用されていないときに、他の機能を付加することも本考案の課題である。
【課題を解決するための手段】
【０００４】
上記課題を解決するために、本考案の第１のものは、本体部が複数の縦横の枠体から構成されたものから成り、その相対向する一対の両側の縦枠体に少なくとも略直角に起立する起立部を設け、これらの起立部が積載荷物の両側の側縁部と当接することができ、前記一対の縦枠体を連結する少なくとも２本の横方向に架け渡された横枠体の横幅を伸縮自在に形成した積載荷物の固定用補助具である。
【０００５】
本考案の第２のものは、上記第１の考案において、縦横の枠体から構成された本体部の少なくとも一方の面に、作業情報や広告情報等の情報表示部を形成したことを特徴とする積載荷物の固定用補助具である。
【考案の効果】
【０００６】
本考案の第１のものにおいては、積載荷物の両側のコーナー部に縦枠体とこの縦枠体から略直角に起立する起立部が当接することとなり、荷物のコーナー部を良好に保護することができる。
また、横枠体は、その横幅が伸縮自在に構成されているために、横幅の異なる積載荷物であっても、その積載荷物の横幅に合致するようにその横幅を変更して、積載荷物のコーナー部を良好に保護して使用することができることとなる。
【０００７】
本考案の第２のものにおいては、上記第１の考案と同様の効果に加えて、例えば積載荷物を積み降ろしをする際には、この補助具は使用しないわけであるが、その積み降ろしをする際に、軽トラックの適宜位置に立て掛けて、その補助具の一方の面に設けられた情報表示部に適当な情報を表示しておくことにより、いわば立て看板の役目を果たすことができるものとなる。
勿論、この情報表示部には、広告宣伝のための情報を表示して、広告表示板としての機能を発揮させることもできるものとなる。
【図面の簡単な説明】
【０００８】
【図１】本考案の一実施形態に係る補助具の使用状態を図示した説明図である。
【図２】本考案の一実施形態に係る補助具の背面側の全体斜視図である。
【図３】図２に図示した補助具の起立部を起立させた状態の全体斜視図である。
【図４】上記本考案の実施形態に係る補助具の正面図であって、その（Ａ）が横枠体を縮小した状態を示し、その（Ｂ）が横枠体を伸長した状態を示している。
【図５】上記実施形態に係る補助具の横枠体を伸張した状態の斜視図である。
【考案を実施するための形態】
【０００９】
以下添付の図面と共に、本考案の実施形態について説明する。
図１は、本考案の一実施形態に係る補助具の使用状態を図示する説明図である。
トラックＴの荷台Ｎには、新品の畳Ｓが複数枚積層されて積載されている。
この積載された最上部の畳の上に本考案に係る固定用補助具１０が載置されて、ロープＲを掛け渡して、縛り付けて固定するのである。
【００１０】
より詳しくは、本考案に係る補助具１０は、略矩形形状の本体部枠体１１と、この本体部枠体１１から幅（横）方向に伸縮する略コ字形状の摺動枠体１２とから成る。
そして、これら本体部枠体１１と摺動枠体１２のそれぞれの縦枠体１１ｔ、１２ｔの下面側に起立部１１ｋ、１２ｋ（縦枠体１１ｔの側の起立部１１ｋは図１には現れていない。）が設けられている。
この起立部１２ｋが下方に略９０度回動するように形成されている。
【００１１】
摺動枠体１２が幅方向に伸長するのは、摺動枠体１２の横枠体１２ｙ、１２ｙが、本体部枠体１１の横枠体１１ｙ、１１ｙの内部に侵入して往復動するように形成しているためである。
つまり、本体部枠体１１の横枠体１１ｙ、１１ｙをそれぞれ角型パイプから形成し、摺動枠体１２の横枠体１２ｙ、１２ｙは、それぞれフラットバー（平板又は平棒状のもの）から形成し、前者の内部で後者が出没するように構成したものである。
【００１２】
１１ｈは、本体部枠体１１のもう１本の縦枠体を示し、この縦枠体１１ｈと、前記縦枠体１１ｔと横枠体１１ｙ、１１ｙとで情報表示部１５を背面側で支持している。
この情報表示部１５は、板状の薄板鉄板から成るものである。
以上の構成からなる本考案に係る固定用補助具１０の使用方法は以下のようになる。
先ず、積載荷物である畳Ｓを重ね合わせてトラックＴの荷台Ｎに積載する。
【００１３】
補助具１０の両側の下面側に設けられている起立部１１ｋ、１２ｋを下方に略９０度起立させる（この起立部の起立は摺動枠体１２を伸長させた後に行ってもよい。）。
次に、畳Ｓの横幅に合致するように、補助具１０の摺動枠体１２の横枠体１２ｙ、１２ｙを本体部１１から伸長させる。
その後、補助具１０を積載荷物の最上部の畳Ｓの上に載置し、両側の起立部１１ｋ、１２ｋの内側を畳Ｓ両側縁部に当接させる。
【００１４】
これにより、両側の本体部枠体１１の縦枠体１１ｔと起立部１１ｋ、及び摺動枠体１２の縦枠体１２ｔと起立部１２ｋが積載荷物である畳Ｓのコーナー部に合致するのである。
その後、ロープＲを補助具１０の上から掛け渡して、縛り付け固定することができる。
以上により、固定用ロープが積載荷物のコーナー部に直接触れることがなくなり、本考案に係る固定用補助具１０によって、積載荷物のコーナー部が適切に保護されるのである。
【００１５】
図２は、上記実施形態の背面（裏面）側の全体斜視図であって、摺動枠体を本体部枠体の側に収縮させ、両側の起立部を折り畳んだ状態を図示している。
図３は、同じく上記実施形態の背面側の全体斜視図であって、摺動枠体を本体部枠体の側に収縮させ、両側の起立部を起立させた状態を図示している。
このように、摺動枠体１２を収縮した状態で、本考案に係る補助具１０の縦横の大きさは、約７０ｃｍ×約５８ｃｍ程度である。尚このサイズは自由に設計変更可能である。
【００１６】
本体部枠体１１の背面側には、その中央横方向に補強枠体１１ｃが掛け渡され、情報表示部１５をその背面から補強している。
情報表示部１５には、例えば「只今荷物の積降し中、ご注意下さい…」等々の適宜情報を記載した表示板Ｊを予め用意しておき、マジックシートＭ等で表示板Ｊを情報表示部１５に貼着させることができる。
【００１７】
表示板Ｊは、各種のものを用意しておき、必要に応じてその内の１枚を選択して、情報表示部１５に貼り付けることができる。
表示板としては、広告宣伝用のものを用意することもできる。
この表示板は、荷物を積み降ろしする際に、トラックの周囲の適宜位置に立て掛けておくことにより、通行人の注意を喚起し、或いは通行人への広告宣伝の効果を発揮することができるものである。
【００１８】
尚、この表示板は、本体部枠体１１の表面側、つまり補強枠体１１ｃが設けられていない側に貼り付けることも当然可能であり、本考案に係る補助具１０においては、情報表示部１５は、表面側或いは背面側の何れの側をも情報表示部とすることができる。
使用に際しては、上述した通り、両側の起立部１２ｋを起立させ（図３の状態）、摺動枠体１２を横方向（図中左上方向）に引き出して、補助具１０の横幅を被積載荷物の横幅に合致させ、被積載荷物の最上部に載置して（図３の状態の背面を下向きにして）、その上からロープを掛け渡し、固定することができるのである。
【００１９】
図４は、上記実施形態の正面図であり、その（Ａ）が摺動枠体１２を収縮させた状態を示し、その（Ｂ）が摺動枠体を伸長させた状態の要部を図示している。
この図では、上方側が補助具１０の上面側であり、下方側がその背面側となる。
図４（Ｂ）から解る通り、摺動枠体１２の横枠体１２ｙが、本体部枠体１１の横枠体１１ｙの内部から出没自在に構成されている。
【００２０】
即ち、本体部枠体１１の横枠体１１ｙを角型パイプから形成し、摺動枠体１２の横枠体１２ｙは、フラットバーから形成し、横枠体１１ｙの内部に横枠体１２ｙが侵入することができ、横枠体１２ｙが横枠体１１ｙの内部から出没自在に形成されているのである。
横枠体１１ｙの図中左端部分で、その上面部又は正面部に固定用ネジを設け、横枠体１２ｙを適宜長さ分引き出した状態で、上記固定用ネジを締め付けて固定することも容易に可能である。
【００２１】
また、起立部１１ｋ、１２ｋは、縦枠体１１ｔ、１２ｔの下面で外側方向に略直角に回動して起立することができ、且つこの略直角の状態で回動が停止するように構成しているが、この起立部１１ｋ、１２ｋは、必ずしも略９０度起立した状態で回動が停止するように構成せずに、９０度以上回動するように形成しても実施可能である。
というのも、起立部が仮に１８０度回動できるように形成しても、使用時に略９０度起立させて使用することができるからである。
【００２２】
図５は、図３に図示した状態の本考案に係る補助具の摺動枠体を少し伸長した状態の要部斜視図である。
この図からよく解るとおり、摺動枠体１２は、平面視略コ字形状を呈しており、摺動枠体１２が伸長して図中左上方向に引き出されると、摺動枠体１２の中央部は素通しの状態となる。
【００２３】
ここで図示省略しているが、摺動枠体１２が完全に本体部枠体１１から抜け落ちてしまわないようなストッパー手段を本実施形態では設けている。
尚、ストッパー手段を設けずに実施し、摺動枠体１２が本体部枠体１１から抜脱できるようにすれば、横幅の広い物品を保護する際に、摺動枠体１２を抜き出して使用することもできる。
【００２４】
以上、本考案の実施形態について説明したが、本考案においては以下の通り種々設計変更することができる。
本体部枠体及び摺動枠体の大きさ等は、積載荷物の種類に応じて種々自由に変更することができる。
起立部は、上記の実施形態では、縦枠体の縦方向のほぼ全体に渡り形成しているが、その縦方向の一部分に形成しても良いし、複数形成することも出来る。
しかし、積載荷物のコーナー部をより適切に保護するためには、上記実施形態のように、縦枠体のほぼ全体に渡り設けることが極めて望ましい。
【００２５】
起立部の枢着手段も自由に選択することができる。
尚、この起立部は、上記実施形態では縦枠体から略９０度回動して起立するように形成しているが、この角度は、少なくとも略９０度起立できればよく、９０度以上であっても何ら問題なく実施することができるものである。即ち、使用に際して略９０度起立させて使用すればよく、これが９０度以上回動するものであってもよいのである。
【００２６】
情報表示部も、本体部枠体の表面側又は背面側の何れに設けてもよく、或いはその両面に設けてもよく、上記実施形態のように、薄板鉄板とマジックシートを利用したものでなく、直接情報表示部に情報を記載できるようにして、その情報を容易に消去できるような表示部とすることも可能である。例えば、ホワイトボード等を情報表示部に貼り付けて実施することもできる。
以上の通り、本考案は、今までに無い全く新しい荷物の固定用補助具を提供することが出来た。
【符号の説明】
【００２７】
１０  積載荷物の固定用補助具
１１  本体部枠体
１１ｈ、１１ｔ、１２ｔ  縦枠体
１１ｙ、１２ｙ  横枠体
１１ｋ、１２ｋ  起立部
１２  摺動枠体
１５  情報表示部
【図１】
0003150949.tif 000003
【図２】
0003150949.tif 000004
【図３】
0003150949.tif 000005
【図４】
0003150949.tif 000006
【図５】
0003150949.tif 000007